(57)【要約】【課題】被吊持物フランジが吊り具のフランジ挿入部に挿入され、フック部が被吊持物フランジの穴に係合された時に、その係合状態を維持できるとともに、フック部が不安定な状態で係合されるの排除することができる吊り具を提供する。【解決手段】一対の側板１０のフランジ挿入部１１に被吊持物のフランジが挿入されたときに、フランジに形成された穿設穴に係合するフック部１２を有する吊り具１であって、フランジ挿入部１１周辺に、フランジ挿入部１１の挿入口方向に向けて付勢力が付与されて、フランジ挿入部１１へのフランジの挿入状態に応じて付勢力に抗して変位するとともに、挿入状態が不安定な場合にはフランジをフランジ挿入部１１から排除する安全部材３０が設けられている。【選択図】図３
2008074621.tif 000002
【特許請求の範囲】
【請求項１】
互いに離間して配され、その下部に水平方向に切り込まれて形成されたフランジ挿入部を有する一対の側板と、
前記一対の側板の間に上下動可能に案内支持され、その下部にフック部が立ち上げ形成された可動板と、を備える吊り具において、
前記一対の側板のフランジ挿入部周辺に、該フランジ挿入部の挿入口方向に向けて付勢力が付与された安全部材が設けられ、
前記フック部は、前記可動板の下動位置では前記フランジ挿入部内から退出した状態にあり、上動位置では前記フランジ挿入部内に進入して被吊持物のフランジに形成された穿設穴または凹部に係合するとともに、
前記安全部材は、前記被吊持物のフランジが前記フランジ挿入部に挿入されたとき、その挿入状態に応じて前記付勢力に抗して変位するとともに、挿入状態が不安定な場合には前記付勢力により前記被吊持物のフランジを前記フランジ挿入部から排除することを特徴とする吊り具。
【請求項２】
前記安全部材は、前記フランジ挿入部に向けて突出する下方突起部を有し、前記一対の側板のそれぞれの外側面に回動可能に取り付けられ、前記下方突起部が前記フランジ挿入部の挿入口方向に向けて付勢されることを特徴とする請求項１に記載の吊り具。
【請求項３】
前記安全部材の前記下方突起部の前面に、前記フランジ挿入部の挿入口方向に向けて膨出する前方膨出部が設けられていることを特徴とする請求項２に記載の吊り具。
【請求項４】
前記可動板は、前記一対の側板との間に架設された付勢材により、前記一対の側板に対して上方向へ付勢されており、この付勢力に抗して前記可動板を下動させることによって前記被吊持物のフランジを前記フランジ挿入部に挿入するとともに、下動操作を終えたときにはこの付勢力によって前記フック部が前記フランジの穿設穴または凹部に係合することを特徴とする請求項１〜３のいずれか一項に記載の吊り具。
【請求項５】
前記側板の上部に揚重具の水平軸が挿通されるガイド孔が設けられるとともに、前記可動板の上端部に揚重具の水平軸に係合する係止片が設けられ、揚重具が前記ガイド孔に挿通されて揚重具に吊持力がかかると、前記揚重具の水平軸が前記係止片を引き上げ、前記フック部の前記フランジの穿設穴または凹部への係合を維持することを特徴とする請求項１〜４のいずれか一項に記載の吊り具。
【発明の詳細な説明】
【技術分野】
【０００１】
本発明は、建造物の梁等に用いられるＨ型鋼やＩ型鋼等の被吊持物の吊り上げ移動に用いる吊り具に関するものである。
【背景技術】
【０００２】
建造物の梁等に用いられるＨ型鋼やＩ型鋼等の被吊持物を吊り上げ移動するには、これらの被吊持物のフランジを掴持して、このフランジに穿設された穴にフック部（フック）を係合（挿通）させ、フック部のフランジからの脱落、被吊持物の落下を防止することのできる吊り具が用いられている。
【０００３】
例えば、このような用途に用いられる図９に示される吊り具１００では、一対の側板１１０と、これらの側板１１０の間に上下動可能に案内支持された可動板１２０とを備えて構成されている。なお、この吊り具１００の構造は、以下で述べる本発明に係る吊り具１と多くの点で類似しており、ここでは簡単に説明する。
【０００４】
側板１１０は、平板状の部材であり、その下部に水平方向に切り込まれて前方（図６（Ａ）で左方）に開口したフランジ挿入部１１１が形成されており、側板１１０の上部に吊り上げ時に揚重具１４０（シャックルなど）の水平軸１４１が挿通されるガイド孔１１２が形成されている。また、側板１１０は、上部のフランジ挿入部１１１と反対側（図６（Ａ）で右方）に把持片１１３を有している。
【０００５】
フランジ挿入部１１１は、被吊持物のフランジが挿入される空間であり、把持片１１３は、後述の押圧レバー１２３に対向するように設けられている。
【０００６】
そして、一対の側板１１０が、間隔保持材（カラー）１１４を介して複数の挿通ボルト１１５によって締め付け固定されており、その間隙内で可動板１２０が上下方向に移動可能な状態で案内支持されている。
【０００７】
可動板１２０は、その下部に前方に突出し、途中で上方に屈曲して立ち上げられたフック部１２１を有し、その上端部に前後方向に延出された係止片１２２と押圧レバー１２３とを有している。
【０００８】
フック部１２１は、被吊持物のフランジに形成された穿設穴に係合するものであり、被吊持物を吊り上げ移動する際に、吊り具１００（フック部１２１）がフランジから脱落するのを防止するためのものである。
【０００９】
係止片１２２は、揚重具１４０の水平軸１４１が前出のガイド孔１１２に挿通された（係止片１２２は水平軸の上方に位置する）状態で被吊持物が吊り上げられると、揚重具１４０の水平軸１４１が係止片１２２を引き上げ、フック部１２１が被吊持物の穿設穴への係合している状態を維持するものである。
【００１０】
押圧レバー１２３は、前出の把持片１１３との間に押圧力を付与することにより、バネ１２６の付勢力に抗して、可動板１２０を下方へ押し下げるためのものである。この可動板１２０の下動によりフック部１２１がフランジ挿入部１１１の下辺から下方に後退させることができ、この後退した状態で被吊持物のフランジをフランジ挿入部１１１内に受け入れ、さらに、押圧力を緩めて可動板１２０を上動させることにより、フック部１２１を被吊持物フランジの穿設穴に係合させることができる。
【００１１】
可動板１２０は、バネ１２６により側板１１０に対して上方向に付勢されており、被吊持物のフランジがフランジ挿入部１１１に挿入され、一旦フック部１２１がフランジの穿設穴に係合した後は、穿設穴から抜け落ちないようにするものである。
【００１２】
このように、吊り具１００では、フック部１２１が被吊持物フランジの穿設穴に係合することにより、さらに、揚重具１４０の水平軸１４１が係止片１２２を引き上げてフック部１２１の係合状態を維持することにより、吊り具１００（フック部１２１）が被吊持物のフランジから脱落するのを防止し、吊り上げ移動の際の振動等によって被吊持物が落下するなどの不測の事態が発生するのを防止している。
【発明の開示】
【発明が解決しようとする課題】
【００１３】
しかしながら、上記の吊り具１００では、フック部１２１を被吊持物のフランジに形成された穿設穴に係合している状態を目視で確認しにくく、被吊持物フランジがフランジ挿入部に十分に挿入されていない状態、すなわち、フック部が穿設穴に十分係合していない状態を看過するようなことがあれば、被吊持物を吊り上げ移動する際に不測の事態が起こりかねない。すなわち、フック部１２１は一対の側板１１０に挟まれた可動板１２０に形成されており、被吊持物のフランジをフランジ挿入部１２１に挿入した状態では、このフランジに隠れて、フランジの穴を介してしかフック部１２１の係合状態を確認することができない。したがって、フック部１２１が不安定な状態で穴に係合しているのを看過する事態も起こり得る。そして、そのような場合には、吊り具１００（フック部１２１）がフランジから脱落するようなことにもなりかねず、万が一、被吊持物に架け渡された複数の吊り具１００の中の１つでもフランジから脱落するような事態が発生すれば、被吊持物の吊り上げ移動作業の途中で、被吊持物の落下等の不測の事態が起こらないとも限らない。
【００１４】
本発明は、以上のような課題に鑑みて為されたものであり、被吊持物に対する吊り具（フック部）の係合が不安定な状態で、被吊持物が吊り上げられるのを防止し、吊り上げ移動作業の途中で、振動等により吊り具が被吊持物フランジから脱落するような事態を未然に防止することができる吊り具を提供することを目的としている。
【課題を解決するための手段】
【００１５】
本発明の請求項１に係る発明の吊り具は、互いに離間して配され、その下部に水平方向に切り込まれて形成されたフランジ挿入部を有する一対の側板と、一対の側板の間に上下動可能に案内支持され、その下部にフック部が立ち上げ形成された可動板と、を備える吊り具において、一対の側板のフランジ挿入部周辺に、フランジ挿入部の挿入口方向に向けて付勢力が付与された安全部材が設けられ、フック部は、可動板の下動位置ではフランジ挿入部内から退出した状態にあり、上動位置ではフランジ挿入部内に進入して被吊持物のフランジに形成された穿設穴または凹部に係合するとともに、安全部材は、被吊持物のフランジがフランジ挿入部に挿入されたとき、その挿入状態に応じて付勢力に抗して変位するとともに、挿入状態が不安定な場合には付勢力により被吊持物のフランジをフランジ挿入部から排除することを特徴とするものである。
【００１６】
本発明の吊り具においては、被吊持物のフランジが挿入されるフランジ挿入部が一対の側板の下部に設けられ、このフランジ挿入部に被吊持物のフランジが挿入されたときに、フランジ挿入部内に進入して、フランジに形成された穿設穴または凹部（凹部の場合はフランジ下面に形成）に係合するフック部が可動板の下部に設けられている。そして、側板のフランジ挿入部の周辺にフランジ挿入部の挿入口方向に向けて付勢され、フランジ挿入部へのフランジの挿入状態に応じて付勢力に抗して変位する安全部材が設けられている。
【００１７】
安全部材は、フランジ挿入部の挿入口方向に向けて付勢力が付与されており、フランジ挿入部へのフランジの挿入状態が不安定な場合（フック部がフランジの穿設穴または凹部に十分に係合していない場合）には、この付勢力によりフランジをフランジ挿入部から排除することになる。これにより、被吊持物が不安定な係合状態で吊り上げられるのを回避して、吊り上げ移動の途中で吊り具が被吊持物フランジから脱落するような事態を未然に防止することができる。
【００１８】
また、この安全部材は、フランジ挿入部へのフランジの挿入状態に応じて挿入口方向の反対側に変位するため、作業者は安全部材の回動状態（変位状態）を視認して、フランジの挿入状態（フック部の係合状態）を確認することができる。
【００１９】
請求項２に係る発明の吊り具は、上記の請求項１に係る発明の吊り具において、前記安全部材は、前記フランジ挿入部に向けて突出する下方突起部を有し、前記一対の側板のそれぞれの外側面に回動可能に取り付けられ、前記下方突起部が前記フランジ挿入部の挿入口方向に向けて付勢されることを特徴とするものである。
【００２０】
請求項２に係る発明の吊り具によれば、被吊持物のフランジがフランジ挿入部の奥（後方）まで挿し込まれていない状態では、下方突起部の前面（挿入口側の面）がフランジの端面（上角部）に当接し、フランジを挿入口（前方）方向に向けて押圧する。そして、フランジ挿入部へのフランジの挿入状態が不安定な場合には、挿入口方向に向かう付勢力によりフランジをフランジ挿入部から排除することができる。
【００２１】
請求項３に係る発明の吊り具は、上記の請求項２に係る発明の吊り具において、前記安全部材の前記下方突起部の前面に、前記フランジ挿入部の挿入口方向に向けて膨出する前方膨出部が設けられていることを特徴とするものである。
【００２２】
請求項３に係る発明の吊り具によれば、被吊持物のフランジがフランジ挿入部の奥（後方）まで挿し込まれていない状態では、下方突起部に設けられた前方膨出部がフランジの端面（上角部）に当接し、フランジを挿入口（前方）方向に向けて押圧する。このとき、下方突起部の頂点から上方裾野に至る部分に形成された曲線部が、小さい角度でフランジの端面（上角部）に当接するため、挿入口方向に向かう付勢力が効果的にフランジに伝達される。そして、フランジ挿入部へのフランジの挿入状態が不安定な場合には、この付勢力によりフランジをフランジ挿入部から確実に排除することができる。
【００２３】
請求項４に係る発明の吊り具は、上記の請求項１〜３のいずれか一項に係る発明の吊り具において、可動板は、一対の側板との間に架設された付勢材により、一対の側板に対して上方向へ付勢されており、この付勢力に抗して可動板を下動させることによって被吊持物のフランジをフランジ挿入部に挿入するとともに、下動操作を終えたときにはこの付勢力によってフック部がフランジの穿設穴または凹部に係合することを特徴とするものである。
【００２４】
請求項４に係る発明の吊り具によれば、一対の側板と可動板との間に架設された付勢材により、可動板は一対の側板に対して上方向へ付勢されており、可動板を下動させて被吊持物のフランジをフランジ挿入部に挿入し、フック部をフランジの穿設穴または凹部に係合させた後は、この付勢力によってフック部が穿設穴または凹部に係合した状態が維持される。したがって、被吊持物の穿設穴または凹部へのフック部の係合を確実なものとし、吊り具（フック部）が被吊持物から脱落するのをより的確に防止することができる。
【００２５】
請求項５に係る発明の吊り具は、上記の請求項１〜４のいずれか一項に係る発明の吊り具において、側板の上部に揚重具の水平軸が挿通されるガイド孔が設けられるとともに、可動板の上端部に揚重具の水平軸に係合する係止片が設けられ、揚重具の水平軸がガイド孔に挿通されて揚重具に吊持力がかかると、揚重具の水平軸が係止片を引き上げ、フック部のフランジの穿設穴または凹部への係合を維持することを特徴とするものである。
【００２６】
請求項５に係る発明の吊り具によれば、揚重具の水平軸がガイド孔に挿通された状態で被吊持物を吊り上げ移動すると、揚重具の水平軸がその上方にある係止片を引き上げ、それに伴ってフック部をも引き上げるので、吊り上げ移動時においてもフック部のフランジの穿設穴または凹部への係合を維持することができる。したがって、これによっても吊り具（フック部）が被吊持物から脱落するのをより的確に防止することができる。
【発明の効果】
【００２７】
本発明によれば、被吊持物フランジが吊り具のフランジ挿入部に挿入され、フック部が被吊持物フランジの穿設穴または凹部に係合させた時に、その係合状態を把握することができるとともに、その係合状態が不安定な場合には吊り具をフランジから強制的に離脱させて、被吊持物が不安定な係合状態で吊り上げられるのを回避して、吊り上げ移動の途中で吊り具が被吊持物フランジから脱落するような事態を未然に防止することができる。
【発明を実施するための最良の形態】
【００２８】
以下、本発明の吊り具に係る最良の実施の形態について、図面に基づき詳細に説明する。なお、下記に開示される実施の形態はすべての点で例示であって、制限的なものではないと考えられるべきである。本発明の技術的範囲は、実施の形態で開示された内容ではなく、特許請求の範囲の記載によって示され、さらに、特許請求の範囲と均等の意味および範囲内でのすべての変更が含まれると解されるべきである。
【００２９】
（実施の形態１）
まず、本発明の実施の形態１に係る吊り具１Ａの構造について、図１、図２および図３に基づき説明する。図１は、本発明の実施の形態１に係る吊り具１Ａの構造を説明するための正面図（Ａ）と側面図（Ｂ）であり、図２および図３は、本発明の実施の形態１に係る吊り具１Ａの構造を説明するための斜視図である。なお、図２および図３は、それぞれ側方下方、側方上方から見た状態を示している。ここでは、便宜上、図１（Ａ）の正面図において、紙面の上方向を上方、下方向を下方、左方向を前方、右方向を後方、紙面の表裏方向を側方と呼ぶことにする。
【００３０】
本実施の形態１の吊り具１Ａは、一対の側板１０と、これらの側板に挟まれた空間に装填された可動板２０と、これらの側板の外側で後述のフランジ挿入部を塞ぐように配された安全部材３０とを備えて構成されている。
【００３１】
側板１０は、平板状の部材であり、その下方から突出し、切欠き状の溝を隔てた形で前方（図１（Ａ）では左方）に延出した突状片により、水平方向に切り込まれた形で、側板１０の本体と突状片との間に前方に開口したフランジ挿入部１１が形成されている（以下において、開口に向かった方向を挿入口方向と呼ぶ）。また、側板１０の上方にはガイド孔１２としての上下方向に細長い長円形状の貫通穴が形成されている。そして、側板１０は、その上端部に、フランジ挿入部１１と反対側（図１（Ａ）では右方）に突出した把持片１４を有している。
【００３２】
フランジ挿入部１１は、被吊持物のフランジが挿入される部分であり、フランジに対応して溝部の深さ寸法と幅寸法が設定されている。また、フランジ挿入部１１の下辺（突出片）は、フランジを下方から支持するのに十分な機械的強度を有するように幅寸法等が設定されている。
【００３３】
ガイド孔１２は、図外の揚重設備から懸下されたシャックル４０（揚重具の一例であり、クレーンフックにワイヤーロープを介して接続）の挿通ボルト４１（揚重具の水平軸の一例）が挿入される上下方向に長い長円形状の貫通孔であり、貫通孔１２の短径寸法は挿入される挿通ボルト４１の外径より少し大きく設定されており、シャックル４０の挿通ボルト４１がこのガイド孔１２を介して上下動自在に案内支持されている。被吊持物のフランジをフランジ挿入部１１に挿入するときには、後述の押圧レバー２３が押し下げられてフック部２１をフランジ挿入部１１から退出させるが、このときシャックル４０の挿通ボルト４１が係止片２２に係合されてガイド孔内の下動位置に押し下げられる。
【００３４】
把持片１４は、後述の押圧レバー２３に対向するように設けられており、作業者がこの把持片１３に指を掛けた状態で押圧レバー２３に力を加えやすいように、その突出寸法が設定されている。
【００３５】
図１（Ｂ）に示すように、同じ形状を有する一対の側板１０が、間隔保持材１４を介して複数（図示の例では４本）の挿通ボルト１５Ａ〜１５Ｄによって締着固定されている。間隔保持材１４は、一対の側板１０により挟まれた間隙寸法を一定に保持するものであり、その間隙寸法は、その間隙に挿入される可動板２０の厚さ寸法よりも少し幅広く設定され、可動板２０はこの間隙内を上下方向に移動可能な状態で保持されている。
【００３６】
可動板２０は、側面視で略Ｊ字状の平板状の部材であり、上述したように、一対の側板１０により挟まれた間隙内に位置している。可動板２０は、その下方には一方（図１（Ａ）では左方）に突出し、途中で上方に屈曲したフック部２１としての突出片を有し、その上方には押圧レバー２３としての前後方向に延出した突出片を有している。また、可動板２０の上端部には、フック部２１側（図１（Ａ）では左方）に突出した係止片１３を有し、フック部２１とは反対側（図１（Ａ）では右方）の下方にロープ挿通穴２４としての環状突出片を有している。
【００３７】
フック部２１は、被吊持物のフランジに形成された建造物組立用の穴に係合して、被吊持物を吊り上げ移動する際に、吊り具１Ａ（フック部２１）がフランジが脱落するのを防止するためのものであり、その前方ならびに上方への突出寸法は被吊持物フランジの穿設穴に係合するのに適応するよう設定されている。
【００３８】
係止片２２は、シャックル４０の挿通ボルト４１が側板１０のガイド孔１２に挿通されたとき、その上方に位置しており、この状態で被吊持物が吊り上げられると、揚重具の水平軸が係止片２２を引き上げ、フック部２１が被吊持物の穿設穴への係合している状態を維持するものである。
【００３９】
押圧レバー２３は、前出の把持片１３との間に押圧力を付与することにより、後述のバネ（巻バネ）２６の付勢力（可動板２０を上方へ引き上げる力）に抗して、可動板２０を下方へ押し下げるためのものである。この可動板２０の下動によりフック部２１がフランジ挿入部１１の下辺より後退（退出）させることができ、この後退した状態で被吊持物のフランジをフランジ挿入部１１内に受け入れ、さらに、その押圧力を緩めて可動板２０を上動させることにより、フック部２１を被吊持物フランジの穿設穴に係合させることができる。
【００４０】
ロープ挿通穴２４は、被吊持物を移動先に的確に誘導するためのロープ５０を挿通するためのものである。
【００４１】
さらに、可動板２０のロープ挿通穴２４の上方にはバネ係止穴２５が形成されており、側板１０の把持片１３の下方（かつ、バネ係止穴２５の上方に位置する）にはバネ係止具１６が架け渡されており、このバネ係止穴２５とバネ係止具１６との間にバネ２６が架設されることにより、可動板２０が側板１０の上方に付勢されており、被吊持物のフランジがフランジ挿入部１１に挿入され、一旦フック部２１が被吊持物フランジの穿設穴に係合した後は、その穴から抜け落ちないように構成されている。
【００４２】
なお、可動板２０は、一対の側板１０により形成された間隙内を移動可能な状態で保持されているが、バネ２６により上方に付勢され、上方への移動はフランジ挿入部１１下方の挿通ボルト１５Ｃ，１５Ｄにより規制され、下方への移動は押圧レバー２３が把持片１３下方の挿通ボルト１５Ａに当接することにより規制され、前後方向への移動はフランジ挿入部１１下方および把持片１３下方の挿通ボルト１５Ａ，１５Ｃ，１５Ｄにより規制されている。これにより、可動板２０が一対の側板１０により形成された間隙内から脱落するのが防止されている。
【００４３】
さらに、本実施の形態１の吊り具１Ａでは、一対の側板１０の外側面にそれぞれ安全部材３０が取り付けられている。この安全部材３０は側面視で略Ｐ字状の形状を有し、上方の円孔部がフランジ挿入部１１上方の挿通ボルト１５Ｂにより回動可能に取り付けられている。フランジ挿入部１１に被吊持物フランジガ挿入されていない状態では、安全部材３０の下方突起部３０ａがフランジ挿入部１１に突出し、同じ挿通ボルト１５Ｂに取り付けられ、その一端が側板１０に係止され、他端が下方突起部３０ａに係止されたトーションバネ３１（付勢材）により挿入口（前方）方向に付勢され、側板１０に設けられた安全部材回動規制片１７により前方への回動が規制されている。そして、被吊持物フランジがフランジ挿入部１１に挿入された時には、この安全部材３０の下方突起部３０ａはトーションバネ３１の付勢力に抗して挿入口方向の反対側（後方）に押し下げられ、フランジ挿入部１１への被吊持物フランジの挿入を受け入れることができる。また、トーションバネ３１は、被吊持物フランジのフランジ挿入部１１への挿入が不十分で、フック部２１が被吊持物フランジの穴に十分に係合していない状態で被吊持物フランジの挿入を中止した場合には、これを排除するに十分な付勢力を被吊持物フランジに与えるものである。
【００４４】
次に、本発明の実施の形態１に係る吊り具１Ａの動作について、被吊持物をＨ型鋼として、図４および図５に基づき説明する。図４は、本発明の実施の形態１に係る吊り具１Ａの操作（Ｈ型鋼フランジへの装着）方法を説明するための正面図であり、図５は、吊り具１ＡのＨ型鋼フランジへの装着状態を説明するための部分拡大正面図である。
【００４５】
まず、フランジ挿入部１１にＨ型鋼６０のフランジ６１が挿入されていない状態（図４の右側の図において実線で表記）では、可動板２０のフック部２１および安全部材３０の下方突起部３０ａがフランジ挿入部１１に突出している。次に、被吊持物であるＨ型鋼６０の近辺に吊り具１Ａを移動し、そのフランジ６１に吊り具１Ａを装着する前の段階（図４の右側の図において二点鎖線で表記）で、把持片１３と押圧レバー２３との間に力を加えて可動板２０をバネ２６の付勢力に抗して押し下げることにより、フック部２１をフランジ挿入部１１から退避させた状態とする。そして、この状態でフランジ挿入部１１にＨ型鋼６０のフランジ６１を挿入する（図４の左側の図において二点鎖線で表記）と、その挿入動作に伴いフランジ挿入部１１に突出していた安全部材３０の下方突起部３０ａがトーションバネ３１の付勢力に抗して後退し、フランジ挿入部１１へのフランジ６１の挿入を受け入れることになる。そして、フランジ６１がフランジ挿入部１１に完全に挿入された状態で押圧レバー１３を押し下げる力を弱めると、図５に示されるように、フック部２１がフランジ６１に穿設された穴６２に確実に係合することになる。一旦フック部２１がフランジ６１に穿設された穴６２に係合されると、バネ２６の付勢力により可動板（フック部）は上方向に付勢されているため、吊り具１Ａ（フック部２１）がＨ型鋼６０のフランジ６１から脱落することはない。さらに、安全部材３０には、トーションバネ３１によりフランジ挿入部１１の挿入口方向に向けて付勢力が付与されており、フランジ挿入部１１へのフランジ６１の挿入状態が不安定な場合には、この付勢力によりフランジ６１をフランジ挿入部１１から排除することができる。また、フランジ挿入部１１にＨ型鋼６０のフランジ６１を挿入するとき、安全部材３０の下方突起部３０ａの後退位置を後方（作業者側）から視認することにより、フランジ６１のフランジ挿入部１１への挿入状態を確認することができる。
【００４６】
さらに、この状態からＨ型鋼６０を吊り上げ移動しようとすると、シャックル４０の挿通ボルト４１が係止片２２を引き上げ、フック部２１には上方向に移動しようとする力が作用するため、Ｈ型鋼６０に振動等が加わっても、フック部２１のフランジ６１の穴６２への係合状態を確実に維持することができる。
【００４７】
このように、本発明の吊り具１Ａは、上記の構成による各構成部材の動作により、Ｈ型鋼６０のフランジ６１がフランジ挿入部１１に挿入された時に、バネ２６の付勢力によりフック部２１をフランジ６１の穴６２に係合させることができ、フランジ挿入部１１へのフランジ６１の挿入状態が不安定な場合（フック２１の穴６２への係合が不十分な場合）には、トーションバネ３１の付勢力によりフランジ６１をフランジ挿入部１１から排除することができる。さらに、被吊持物を吊り上げ移動しようとする時には、フック部２１には係止片２２を介して上方向の力が作用するため、フック部２１のフランジ６１の穴６２への係合状態を確実に維持することができる。これらのことにより、Ｈ型鋼６０が不安定な係合状態で吊り上げられるのを回避して、吊り上げ移動の途中で吊り具１Ａがフランジ６１から脱落するような事態を未然に防止することができる。
【００４８】
（実施の形態２）
次に、本発明の実施の形態２に係る吊り具１Ｂの構造とその動作について、図６、図７および図８に基づき説明する。図６は、本発明の実施の形態２に係る吊り具１Ｂの構造を説明するための正面図（Ａ）と側面図（Ｂ）であり、図７は、吊り具１Ｂの操作（Ｈ型鋼フランジへの装着）方法を説明するための正面図であり、図８は、吊り具１ＢのＨ型鋼フランジへの装着状態を説明するための部分拡大正面図である。
【００４９】
実施の形態２に係る吊り具１Ｂでは、図６（Ａ）に示されるように、一対の側板１０のそれぞれの外側面に挿通ボルト１５Ｂにより回動可能に取り付けられている安全部材３０が、側面視で略Ｐ字状の形状を有し、下方（フランジ挿入部１１に向けて）に突出する下方突起部３０ａの前面に前方に向けて膨出する前方膨出部３０ｂが設けられている。本実施の形態２の吊り具１Ｂは、その他の点において、上記の実施の形態１の吊り具１Ａと同様に構成されており、ここでは同様の構成およびそれらの動作について説明を省略する。
【００５０】
このように構成された吊り具１Ｂでは、図７、図８に示されるように、フランジ挿入部１１にフランジ６１が挿入されていない状態では、下方突起部３０ａがフランジ挿入部１１に突出し、トーションバネ３１（付勢材）により挿入口（前方）方向に付勢され、側板１０に設けられた安全部材回動規制片１７により前方への回動が規制されている。そして、フランジ６１がフランジ挿入部１１に挿入された時には、この安全部材３０の下方突起部３０ａはトーションバネ３１の付勢力に抗して挿入口方向の反対側（後方）に押し下げられ、フランジ挿入部１１へのフランジ６１の挿入を受け入れることができる。
【００５１】
ここで、フランジ６１がフランジ挿入部１１の奥（後方）まで挿し込まれていない状態では、下方突起部３０ａに設けられた前方膨出部３０ｂがフランジ６１の端面（上角部）に当接し、フランジ６１を挿入口（前方）方向に向けて押圧する。すなわち、下方突起部３０ａの頂点から上方裾野に至る部分に形成された曲線部が、小さい角度でフランジ６１の端面（上角部）に当接するため、トーションバネ３１による付勢力が効果的にフランジ６１に伝達される。そして、フランジ挿入部１１へのフランジ６１の挿入状態が不安定な場合には、この付勢力によりフランジ６１をフランジ挿入部１１から確実に排除することができる。なお、下方突起部３０ａの頂点から上方裾野に至る部分は、曲線部で形成されず、一部に直線部を含んで構成されてもよい。
【００５２】
以下、上記の実施の形態１、２で説明した吊り具１Ａ、１Ｂの変形例について、いくつか説明する。
【００５３】
上記の実施の形態１、２で説明した吊り具１Ａ、１Ｂでは、安全部材３０がフランジ挿入部１１上方の挿通ボルト１５Ｂに回動可能に取り付けられ、この挿通ボルト１５Ｂ回りにフランジ６１の挿入状態に応じて回動するように構成したが、安全部材３０の取り付け位置および変位形態はこの態様に限定されるものではなく、フランジ挿入部１１周辺であればよいが、望ましくはフランジ挿入部１１上方の適所に設けられるのがよい。
【００５４】
また、安全部材３０は、フランジ挿入部１１の奥行き方向にフランジ挿入部に沿って変位するように構成されたものであってもよい。具体的には、フランジ挿入部１１上方にその奥行き方向に安全部材がスライド移動可能な溝を設け、係止用突起片を下方（フランジ挿入部１１内）に突出させた安全部材をこの溝に配して、付勢材によりこの安全部材を挿入口方向に付勢するとともに、被吊持物のフランジ６１がフランジ挿入部１１に挿入された時には係止用突起片がフランジ６１端面に係合して、フランジ６１の挿入にしたがってフランジ挿入部１１の奥行き方向に変位すればよい。このような構成によっても、被吊持物のフランジ６１がフランジ挿入部１１に挿入された時には、安全部材が後方に変位して、フック部２１をフランジ６１の穴６２に係合させることができるとともに、その挿入状態が不安定な場合（フック部２１が穴６２に十分係合していない場合）には、フランジ挿入部１１から被吊持物のフランジ６１を排除することができる。
【００５５】
上記の実施の形態１、２では、フック部２１が被吊持物（Ｈ型鋼６０）のフランジ６１に形成された穿設穴６２に係合する形態を示したが、係合の対象は必ずしも貫通した穴でなくてもよく、フランジ６１下面に形成された凹部であってもよい。凹部の場合でも、フック部２１（可動板２０）は、バネ２６により上方向に付勢されて確実に凹部と係合し、さらに吊り上げ移動時には係止片２２を介して引き上げられるため、凹部との係合状態を維持することができ、吊り具１Ａ（フック部２１）が被吊持物から脱落することはない。
【００５６】
また、上記の実施の形態１、２では、一対の側板１０の双方に安全部材３０が設けられているが、何れか一方の側板１０に設けられていても良い。ただし、不安定な挿入状態にある被吊持物（Ｈ型鋼６０）のフランジ６１をフランジ挿入部１１から排除するに十分な付勢力を得るには、安全部材３０が双方の側板１０に設けられるのが望ましい。
【００５７】
また、上記の実施の形態１、２では、側板１０と可動板２０との間に付勢材としてのバネ２６が架設され、可動板２０（フック部２１）が側板１０に対して上方向に付勢される構成を示したが、必ずしも付勢材を必要としない。例えば、フランジ挿入部１１の下辺に設けた支持軸に、前方にフック部を有する係合部材を支持軸回りに揺動可能に取り付けて、このフランジ挿入部１１に被吊持物のフランジ６１がフック部を通過して挿入されたときに、フランジ先端部が係合部材の後方部に当接してこれを押し下げ、この係止部材の揺動により前方のフック部が持ち上げられてフランジ６１の穿設穴６２に係合するように構成すれば、付勢材を設けなくてもよい。ただし、上記の実施の形態１、２で示したような付勢材を設ける構成とする方が、フック部２１周辺の構成を簡単なものにすることができる。
【００５８】
さらに、上記の実施の形態１、２では、図４、図５、図７および図８において、Ｈ型鋼６０の場合を例にとって説明したが、本発明の吊り具１ＡがＩ型鋼やＴ型鋼、アングル材等の他の形状を有する被吊持物や、磁性材、非磁性材を問わず、鋼以外の他の材料で製造された被吊持物にも適用できることは当然のことである。
【図面の簡単な説明】
【００５９】
【図１】本発明の実施の形態１に係る吊り具の構造を説明するための正面図（Ａ）と側面図（Ｂ）である。
【図２】本発明の実施の形態１に係る吊り具の構造を説明するための斜視図（側方下方から）である。
【図３】本発明の実施の形態１に係る吊り具の構造を説明するための斜視図（側方上方から）である。
【図４】本発明の実施の形態１に係る吊り具の操作（Ｈ型鋼フランジへの装着）方法を説明するための正面図である。
【図５】本発明の実施の形態１に係る吊り具のＨ型鋼フランジへの装着状態を説明するための部分拡大正面図である。
【図６】本発明の実施の形態２に係る吊り具の構造を説明するための正面図（Ａ）と側面図（Ｂ）である。
【図７】本発明の実施の形態２に係る吊り具の操作（Ｈ型鋼フランジへの装着）方法を説明するための正面図である。
【図８】本発明の実施の形態２に係る吊り具のＨ型鋼フランジへの装着状態を説明するための部分拡大正面図である。
【図９】従来の吊り具の構造を説明するための正面図（Ａ）と側面図（Ｂ）である。
【符号の説明】
【００６０】
１      吊り具
１０    側方部板
１１    フランジ挿入部
２０    可動板
２１    フック部（フック）
３０    安全部材
３１    トーションバネ（付勢材）
【図１】
2008074621.tif 000003
【図２】
2008074621.tif 000004
【図３】
2008074621.tif 000005
【図４】
2008074621.tif 000006
【図５】
2008074621.tif 000007
【図６】
2008074621.tif 000008
【図７】
2008074621.tif 000009
【図８】
2008074621.tif 000010
【図９】
2008074621.tif 000011